(57)【要約】  焼嵌の嵌合強度を悪化させることなく、また起動トルクが高く、高効率な誘導電動機が得られ、また冷凍機油の油上がり量を抑制した信頼性の高い密閉型圧縮機を得ることを目的とする。この発明に係る誘導電動機は、固定子鉄心の内周縁に沿って形成される複数の固定子スロットに挿入される巻線とを有する固定子と、固定子の内側に空隙を介して配置される回転子１１とを備え、回転子１１は、回転子鉄心１１ａの外周縁に沿って形成され、導電性材料が充填された二重かご形の複数の回転子スロットと、回転軸５０が嵌合する回転子鉄心１１ａの回転軸穴３１の周囲に設けられ、回転軸穴３１に開口する三箇所以上の風穴部１１ｂとを有し、二重かご形の回転子スロット３０に充填される導電性材料の両端を短絡するエンドリング３２の内径部を、少なくとも片側のエンドリング３２において風穴部１１ｂに近接するように配置したことを特徴とする。
2010016106.tif 000002
【特許請求の範囲】
【請求項１】
電磁鋼板を所定の形状に打ち抜いた後、所定枚数積層して製作される固定子鉄心と、前記固定子鉄心の内周縁に沿って形成される複数の固定子スロットと、前記固定子スロットに挿入される巻線とを有する固定子と、
前記固定子の内側に空隙を介して配置される回転子とを備え、
前記回転子は、
電磁鋼板を所定の形状に打ち抜いた後、所定枚数積層して製作される回転子鉄心と、
前記回転子鉄心外周縁に沿って形成され、導電性材料が充填された二重かご形の複数の回転子スロットと、
回転軸が嵌合する前記回転子鉄心の回転軸穴の周囲に設けられ、前記回転軸穴に開口する三箇所以上の風穴部とを有し、
前記二重かご形の回転子スロットに充填される前記導電性材料の両端を短絡するエンドリングの内径部を、少なくとも片側の前記エンドリングにおいて前記風穴部に近接するように配置したことを特徴とする誘導電動機。
【請求項２】
前記回転子と前記回転軸を焼嵌により嵌合することを特徴とする請求項１記載の誘導電動機。
【請求項３】
前記風穴部は略半円形状であることを特徴とする請求項１記載の誘導電動機。
【請求項４】
前記風穴部は長穴形状であることを特徴とする請求項１記載の誘導電動機。
【請求項５】
前記回転子に設けられた前記風穴部に対応した位置で、前記回転軸に略軸方向全長に亘って形成される切欠きを設け、前記風穴部と前記切欠きとで風穴を形成することを特徴とする請求項１記載の誘導電動機。
【請求項６】
前記回転軸に略軸方向全長に亘って形成される切欠きを長穴形状とすることを特徴とする請求項５記載の誘導電動機。
【請求項７】
前記回転子鉄心はスキューをかけて積層され、前記回転子鉄心のスキュー角度に対応して前記切欠きを傾斜させるように設けたことを特徴とする請求項５記載の誘導電動機。
【請求項８】
前記風穴部は三箇所に略等間隔に配置され、一つの前記風穴部の両端と前記回転軸の中心とのなす角度をα、隣接する二つの前記風穴部の近接側の二つの端部と前記回転軸の中心とのなす角度をβとした場合、２α＋β＜１８０度としたことを特徴とする請求項４記載の誘導電動機。
【請求項９】
冷媒を圧縮する圧縮要素と共に密閉容器の内部に収納され、前記回転軸により前記圧縮要素を駆動する誘導電動機であって、
前記圧縮要素は圧縮された冷媒を吐出する吐出穴を備え、前記吐出穴と前記風穴部の個数と位置関係を合わせ、更に前記吐出穴から高圧の吐出ガスが吐出されるときに前記吐出穴と前記風穴部との位置が略一致するようにしたことを特徴とする請求項１記載の誘導電動機。
【請求項１０】
請求項１記載の誘導電動機と、前記誘導電動機により駆動される圧縮要素を備えたことを特徴とする密閉型圧縮機。
【発明の詳細な説明】
【技術分野】
【０００１】
この発明は、二重かご形状からなる回転子を有した誘導電動機及び密閉型圧縮機に関するものである。
【背景技術】
【０００２】
従来の誘導電動機において、回転子鉄心の内径部に二箇所の切欠きを設け、切欠きを潤滑油通過用切欠きとして使用しており、ダイカスト回転子を精度良く製作しているものが知られている（例えば、特許文献１参照）。【０００３】
また、従来の別の誘導電動機においては、回転子鉄心の内周領域までエンドリングを延在させた後、エンドリングと回転子鉄心に通風孔を形成するようにすることで、エンドリング内部に巣が生じることなく、機械的強度を改善している（例えば、特許文献２参照）。
【特許文献１】特開昭５９−１０１５９号公報
【特許文献２】特開昭６１−２４４２４８号公報
【発明の開示】
【発明が解決しようとする課題】
【０００４】
従来の誘導電動機では、回転子鉄心の内径部の切欠きが二箇所であるため、回転子鉄心と回転軸を焼嵌により嵌合させた場合、回転子鉄心の歪みが大きく、十分な嵌合強度が得られないという課題があった。【０００５】
また、従来の別の誘導電動機では、エンドリングのダイキャスト後に、穿孔装置を用いて、エンドリングと回転子鉄心の一部を削っているため、加工費が高いという課題があった。【０００６】
この発明は、上記のような課題を解決するためになされたもので、焼嵌の嵌合強度を悪化させることなく、また起動トルクが高く、高効率な誘導電動機が得られ、また冷凍機油の油上がり量を抑制した信頼性の高い密閉型圧縮機を得ることを目的とする。
【課題を解決するための手段】
【０００７】
この発明に係る誘導電動機は、電磁鋼板を所定の形状に打ち抜いた後、所定枚数積層して製作される固定子鉄心と、前記固定子鉄心の内周縁に沿って形成される複数の固定子スロットと、前記固定子スロットに挿入される巻線とを有する固定子と、
前記固定子の内側に空隙を介して配置される回転子とを備え、
前記回転子は、
電磁鋼板を所定の形状に打ち抜いた後、所定枚数積層して製作される回転子鉄心と、
前記回転子鉄心外周縁に沿って形成され、導電性材料が充填された二重かご形の複数の回転子スロットと、
回転軸が嵌合する前記回転子鉄心の回転軸穴の周囲に設けられ、前記回転軸穴に開口する三箇所以上の風穴部とを有し、
前記二重かご形の回転子スロットに充填される前記導電性材料の両端を短絡するエンドリングの内径部を、少なくとも片側の前記エンドリングにおいて前記風穴部に近接するように配置したことを特徴とする。【０００８】
また、この発明に係る誘導電動機は、前記回転子と前記回転軸を焼嵌により嵌合することを特徴とする。【０００９】
また、前記風穴部は略半円形状であることを特徴とする。【００１０】
また、前記風穴部は長穴形状であることを特徴とする。【００１１】
また、この発明に係る誘導電動機は、前記回転子に設けられた前記風穴部に対応した位置で、前記回転軸に略軸方向全長に亘って形成される切欠きを設け、前記風穴部と前記切欠きとで風穴を形成することを特徴とする。【００１２】
また、この発明に係る誘導電動機は、前記回転軸に略軸方向全長に亘って形成される切欠きを長穴形状とすることを特徴とする。【００１３】
また、前記回転子鉄心はスキューをかけて積層され、前記回転子鉄心のスキュー角度に対応して前記切欠きを傾斜させるように設けたことを特徴とする。【００１４】
また、前記風穴部は三箇所に略等間隔に配置され、一つの前記風穴部の両端と前記回転軸の中心とのなす角度をα、隣接する二つの前記風穴部の近接側の二つの端部と前記回転軸の中心とのなす角度をβとした場合、２α＋β＜１８０度としたことを特徴とする。【００１５】
また、冷媒を圧縮する圧縮要素と共に密閉容器の内部に収納され、前記回転軸により前記圧縮要素を駆動する誘導電動機であって、前記圧縮要素は圧縮された冷媒を吐出する吐出穴を備え、前記吐出穴と前記風穴部の個数と位置関係を合わせ、更に前記吐出穴から高圧の吐出ガスが吐出されるときに前記吐出穴と前記風穴部との位置が略一致するようにしたことを特徴とする。【００１６】
また、この発明に係る密閉型圧縮機は、前記誘導電動機と、前記誘導電動機により駆動される圧縮要素を備えたことを特徴とする。
【発明の効果】
【００１７】
この発明に係る誘導電動機は、回転軸が嵌合する回転子鉄心の回転軸穴の周囲に設けられ、回転軸穴に開口する三箇所以上の風穴部と、二重かご形の回転子スロットに充填される導電性材料の両端を短絡するエンドリングの内径部を、風穴部に近接するように配置したことにより、起動トルクを高くするとともに通常運転時に高効率な誘導電動機を得ることができる。
【発明を実施するための最良の形態】
【００１８】
実施の形態１．
以下、実施の形態１について図面を参照しながら説明する。図１乃至図７は実施の形態１を示す図で、図１は誘導電動機１００の横断面図、図２はアルミバー３０を充填した回転子スロット４０の横断面図、図３は誘導電動機１００の回転子１１の斜視図、図４は誘導電動機１００の回転子１１の平面図、図５は誘導電動機１００の回転子鉄心１１ａの平面図、図６は変形例の誘導電動機１００の回転子１１の平面図、図７は変形例の誘導電動機１００の回転子鉄心１１ａの平面図である。【００１９】
図１に示す誘導電動機１００は、二極の単相誘導電動機である。誘導電動機１００は、固定子１２と、回転子１１とを備える。【００２０】
固定子１２は、固定子鉄心１２ａと、固定子鉄心１２ａの固定子スロット１２ｂに挿入される主巻線２０ｂおよび補助巻線２０ａとを備える。【００２１】
尚、固定子スロット１２ｂには巻線（主巻線２０ｂおよび補助巻線２０ａ）と固定子鉄心１２ａとの間に絶縁を確保するために絶縁材（例えば、スロットセル、ウェッジ等）が挿入されるが、ここでは図示を省略している。【００２２】
固定子鉄心１２ａは、板厚が０．１〜１．５ｍｍの電磁鋼板を所定の形状に打ち抜いた後、所定枚数軸方向に積層し、抜きカシメや溶接等により固定して製作される。【００２３】
固定子鉄心１２ａには、内周縁に沿って固定子スロット１２ｂが形成されている。固定子スロット１２ｂは、周方向にほぼ等間隔に配置される。【００２４】
固定子スロット１２ｂは、半径方向に延在している。固定子スロット１２ｂは、内周縁に開口している。この開口部をスロットオープニングと言う。このスロットオープニングから巻線（主巻線２０ｂおよび補助巻線２０ａ）が挿入される。図１の例では、固定子鉄心１２ａは、２４個の固定子スロット１２ｂを備える。【００２５】
主巻線２０ｂは、同心巻方式の巻線である。図１の例では、固定子スロット１２ｂ内の内周側（回転子１１に近い方）に、主巻線２０ｂが配置される。ここでは、同心巻方式の主巻線２０ｂは、大きさ（特に周方向の長さ）が異なる五個のコイルから構成される。そして、それらの五個のコイルの中心が同じ位置になるように固定子スロット１２ｂに挿入される。そのため、同心巻方式と呼ばれる。主巻線２０ｂが五個のコイルのものを示したが、一例であって、その数は問わない。【００２６】
主巻線２０ｂの五個のコイルを、大きい方（スロットピッチが１１のもの）から順にＭ１、Ｍ２、Ｍ３、Ｍ４、Ｍ５とする。その分布が、略正弦波になるように選ばれる。主巻線２０ｂに電流が流れた場合に発生する主巻線磁束が正弦波になるようにするためである。【００２７】
主巻線２０ｂは、固定子スロット１２ｂ内の内周側、外周側のどちらに配置してもよい。主巻線２０ｂを固定子スロット１２ｂ内の内周側に配置すると、固定子スロット１２ｂ内の外周側に配置する場合に比べて、巻線周長が短くなる。また、主巻線２０ｂを固定子スロット１２ｂ内の内周側に配置すると、固定子スロット１２ｂ内の外周側に配置する場合に比べて、漏れ磁束が少なくなる。よって、主巻線２０ｂを固定子スロット１２ｂ内の内周側に配置すると、固定子スロット１２ｂ内の外周側に配置する場合に比べて主巻線２０ｂのインピーダンス（抵抗値、漏れリアクタンス）が小さくなる。そのため、誘導電動機１００の特性が良くなる。【００２８】
主巻線２０ｂに電流を流すことで、主巻線磁束が生成される。この主巻線磁束の向きは、図１の上下方向である。前述したように、この主巻線磁束の波形ができるだけ正弦波になるように、主巻線２０ｂの五個のコイル（Ｍ１、Ｍ２、Ｍ３、Ｍ４、Ｍ５）の巻数が選ばれる。主巻線２０ｂに流れる電流は交流であるから、主巻線磁束も流れる電流に従って大きさと向きを変える。【００２９】
また、固定子スロット１２ｂには、主巻線２０ｂと同様の同心巻方式の補助巻線２０ａが挿入される。図１では、補助巻線２０ａは、固定子スロット１２ｂ内の外側に配置されている。補助巻線２０ａに電流を流すことで補助巻線磁束が生成される。この補助巻線磁束の向きは、主巻線磁束の向きに直交する（図１の左右方向）。補助巻線２０ａに流れる電流は交流であるから、補助巻線磁束も電流に従って大きさと向きを変える。【００３０】
一般的には主巻線磁束と補助巻線磁束のなす角度が電気角で９０度（ここでは極数が二極であるため、機械角も９０度である）になるように、主巻線２０ｂと補助巻線２０ａとが固定子スロット１２ｂに挿入される。【００３１】
図１の例では、補助巻線２０ａは大きさ（周方向の長さが特に）が異なる三個のコイルから構成される。補助巻線２０ａの三個のコイルを、大きい方（スロットピッチが１１のもの）から順にＡ１、Ａ２、Ａ３とする。その分布が、略正弦波になるように選ばれる。補助巻線２０ａに電流が流れた場合に発生する補助巻線磁束が正弦波になるようにするためである。【００３２】
そして、それらの三個のコイル（Ａ１、Ａ２、Ａ３）の中心が同じ位置になるように固定子スロット１２ｂに挿入される。【００３３】
補助巻線２０ａと直列に運転コンデンサ（図示せず）を接続したものに主巻線２０ｂを並列に接続させる。その両端を単相交流電源へ接続する。運転コンデンサを補助巻線２０ａに直列に接続することにより、補助巻線２０ａに流れる電流の位相を主巻線２０ｂに流れる電流の位相より約９０度進めることができる。【００３４】
主巻線２０ｂと補助巻線２０ａの固定子鉄心１２ａにおける位置を電気角で９０度ずらし、且つ主巻線２０ｂと補助巻線２０ａの電流の位相を約９０度異なるようにすることにより、二極の回転磁界が発生する。【００３５】
固定子鉄心１２ａの外周面には、外周円形状を略直線状に切り欠いた略直線部をなす固定子切欠き１２ｃが四ヶ所に設けられている。四ヶ所の固定子切欠き１２ｃは、隣り合うもの同士が略直角に配置される。但し、これは一例であり、固定子切欠き１２ｃの数、配置は任意でよい。【００３６】
密閉型圧縮機に図１の誘導電動機１００を使用する場合、固定子１２は密閉型圧縮機の円筒状の密閉容器の内周に焼き嵌めされる。密閉型圧縮機の内部では、冷媒が誘導電動機１００を通過する。そのため、誘導電動機１００には、冷媒の通路が必要である。固定子切欠き１２ｃを設けることにより、固定子１２と密閉容器との間に冷媒の通路が形成される。誘導電動機１００の冷媒の通路には、この固定子鉄心１２ａの外周面の固定子切欠き１２ｃによるもの以外に、例えば、回転子１１の風穴部１１ｂ、固定子１２と回転子１１との間の空隙６０がある。【００３７】
また、回転子１１は回転子鉄心１１ａとかご形二次導体を備える。回転子鉄心１１ａは、固定子鉄心１２ａと同様に板厚が０．１〜１．５ｍｍの電磁鋼板を所定の形状に打ち抜き、軸方向に積層して製作される。通常、固定子鉄心１２ａの内側の部分の電磁鋼板を利用する。【００３８】
一般的に回転子鉄心１１ａは固定子鉄心１２ａと同一の材料から打ち抜くことが多いが、回転子鉄心１１ａは固定子鉄心１２ａと材料を変えても構わない。【００３９】
回転子鉄心１１ａには半径方向外周側に、回転子鉄心１１ａの外周縁に沿って設けられる外層スロット４０ａと、外層スロット４０ａの内周側に設けられた内層スロット４０ｂと、外層スロット４０ａと内層スロット４０ｂを連結する連結スロット４０ｃからなる二重かご形状の回転子スロット４０を有する（図２参照）。【００４０】
図１の例では、回転子スロット４０の数は、３０である。結局、図１の誘導電動機１００は、固定子鉄心１２ａのスロット数が２４、回転子鉄心１１ａのスロット数が３０の組合せである。但し、これは一例であり、固定子鉄心１２ａのスロット数と回転子鉄心１１ａのスロット数との組合せは、この限りではない。【００４１】
かご形誘導電動機は、同期トルク、非同期トルク、振動・騒音等の異常現象があることが知られている。かご形誘導電動機の異常現象は、空隙磁束密度中の空間高調波によって起きるものであることは明白であるが、その空間高調波が生じる原因としては次の二つが考えられる。一つは巻線の配置のために起磁力自身の中に含まれる高調波であり、他は溝が存在するために空隙のパーミアンス（磁気抵抗の逆数）が一様でないことから空隙磁束密度中に含まれる高調波である。【００４２】
このように、かご形誘導電動機では、固定子のスロット数と回転子のスロット数との組合せが、同期トルク、非同期トルク、振動・騒音等の異常現象に密接に関係する。そのため、固定子のスロット数と回転子のスロット数との組合せは、慎重に選ばれる。【００４３】
外層スロット４０ａ、内層スロット４０ｂおよび連結スロット４０ｃには、共に導電性材料であるアルミが鋳込まれて、外層アルミバー３０ａ、内層アルミバー３０ｂおよび連結アルミバー３０ｃからなるアルミバー３０を形成する。導電性材料は、アルミが一般的であるが、銅でもよい。また、ダイキャスティング以外に、バーをスロットに挿入後、エンドリングをバーに接合する方法もある。【００４４】
回転子１１の積層方向端面に設けられたエンドリング３２（図３参照）と共に二重かご形二次導体を形成する。一般的にアルミバー３０とエンドリング３２はダイキャストにより同時にアルミを鋳込むことで製作される。【００４５】
図１、図４、図５に示すように、回転子鉄心１１ａの円形の回転軸穴３１の周囲に、回転軸穴３１に連通する略半円形の風穴部１１ｂを設けている。略半円形の風穴部１１ｂは回転軸穴３１に開口している。図１、図４、図５の例では、六個の略半円形の風穴部１１ｂを設けている。風穴部１１ｂは、三個（三箇所）以上にあればよい。【００４６】
密閉型圧縮機に回転子１１を搭載する場合、回転子１１は回転軸５０に焼嵌により固定され、風穴部１１ｂは回転軸との間で空洞が形成される。この空洞は冷媒の流路の一部として使用される。一般的に密閉型圧縮機の性能を確保するために、電動機に一定の冷媒の流路が必要である。【００４７】
二重かご形状の回転子１１を有する誘導電動機１００は、以下に示すような一般的な特徴を有する。即ち、起動時はすべり周波数（回転磁界の周波数と回転子１１の回転数との差）が高くなる。内層アルミバー３０ｂの漏れ磁束は、外層アルミバー３０ａの漏れ磁束より多くなる。すべり周波数が大きい起動時には、リアクタンス分により電流分布が決まり、二次電流は外層アルミバー３０ａに主に流れる。そのため、二次抵抗が大きくなることにより起動トルクが増大して起動特性が改善される。【００４８】
また通常運転時は、すべり周波数が低いので、二次電流はアルミバー３０全体に流れるため、アルミ断面積が大きくなり、二次抵抗が小さくなる。従って、二次銅損が低くなることで、高効率化が実現できるという特性を有している。【００４９】
また単相交流電源で駆動される単相誘導電動機は、三相交流電源で駆動される三相誘導電動機と比較すると、起動トルクが低くなる傾向がある。【００５０】
二次抵抗を小さくする方法としてエンドリング３２の体積を大きくする方法があり、体積を拡大させる方法として、高さ方向（軸方向）を拡大する方法と、内径側に拡大する方法がある。【００５１】
エンドリング３２の高さ方向を拡大する場合、回転子１１の積層方向（軸方向）の長さが大きくなるため、電動機全長が長くなり、電動機の大型化を招く課題がある。【００５２】
またエンドリング３２を内径側に拡大させた回転子１１を密閉型圧縮機に搭載した場合、回転子１１に風穴を設ける場所がなくなる課題がある。【００５３】
本実施の形態の誘導電動機１００の回転子１１は、回転子鉄心１１ａの円形の回転軸穴３１の周囲に、回転軸穴３１に連通する略半円形の風穴部１１ｂを設けることで、エンドリング３２を内径側に拡大することが可能である。【００５４】
エンドリング３２を拡大することで二次抵抗が低くなり、高効率な誘導電動機１００を得ると共に、その誘導電動機１００を密閉型圧縮機に搭載する場合、冷媒の流路を確保した高性能な密閉型圧縮機を得ることができる。【００５５】
また回転子１１に風穴を設けない場合について考察する。風穴がない回転子１１を密閉型圧縮機に搭載した場合、固定子１２の外周に設けられた固定子切欠き１２ｃと、固定子１２と回転子１１との間の空隙６０が冷媒の流路となる。【００５６】
密閉型圧縮機には、冷媒と共に圧縮機構部の各摺動部の潤滑に必要な冷凍機油が、密閉容器の下部に貯留されており、冷凍機油の一部は冷媒と共に密閉容器から流出し、冷凍サイクル装置の冷媒回路に流入することがある。【００５７】
冷凍サイクル装置の冷媒回路に、圧縮された冷媒以外に過度の冷凍機油が流入する（油上がり量が増加する）と、冷凍サイクル装置の性能が悪化すると共に、圧縮機構の各摺動部の潤滑が悪化（不足）することで密閉型圧縮機が故障するなど信頼性が低くなる可能性がある。【００５８】
回転子１１に風穴がない場合、冷媒の流路面積が小さいために冷媒の流速が速くなり、冷媒と共に冷凍機油が、固定子１２の固定子切欠き１２ｃを通って流出する傾向がある。固定子切欠き１２ｃを大きくすることで流速を抑えることができるが、固定子切欠き１２ｃが大きくなると、逆に固定子鉄心１２ａの磁路面積が小さくなり、固定子鉄心１２ａの磁束密度が大きくなる。磁束密度が大きくなると、励磁電流や鉄損が増加して誘導電動機１００の入力が大きくなり、効率が低くなる。【００５９】
本実施の形態では、回転子鉄心１１ａの円形の回転軸穴３１の周囲に、回転軸穴３１に連通する略半円形の風穴部１１ｂを設け、エンドリング３２を内径側に拡大させて二次抵抗を小さくしている。そのため、冷凍機油の油上がり量を抑制した信頼性の高い密閉型圧縮機を得ると共に、低損失な誘導電動機１００を搭載した高効率な密閉型圧縮機を得ることができる。尚、エンドリング３２を内径側に拡大させるのは、片側のエンドリング３２だけでもよい。【００６０】
回転子鉄心１１ａの円形の回転軸穴３１の周囲に、回転軸穴３１に連通する略半円形の風穴部１１ｂを設け、エンドリング３２を内径側に拡大させて二次抵抗を小さくしているが、二次抵抗Ｒ２を、アルミバー３０の抵抗Ｒｂａｒ、エンドリング３２の抵抗Ｒｒｉｎｇで簡略化して表わすと次式のようになる。
Ｒ２＝ｋ１×（Ｒｂａｒ＋Ｒｒｉｎｇ）            （１）
ここで、ｋ１は抵抗係数である。【００６１】
また、エンドリング３２の抵抗Ｒｒｉｎｇは、エンドリング３２の平均直径Ｄｒに比例し、エンドリング３２の断面積Ａｒに反比例する。即ち、
Ｒｒｉｎｇ＝ｋ２×Ｄｒ／Ａｒ                    （２）
ここで、ｋ２は係数である。【００６２】
従って、エンドリング３２を内径側に拡大すれば、エンドリング３２の平均直径Ｄｒが小さくなるとともに、エンドリング３２の断面積Ａｒが大きくなるので、エンドリング３２の抵抗Ｒｒｉｎｇが小さくなる。【００６３】
エンドリング３２を内径側に拡大しても、アルミバー３０の抵抗Ｒｂａｒは変化しないが、エンドリング３２の抵抗Ｒｒｉｎｇが小さくなることにより、二次抵抗Ｒ２を小さくすることができる。【００６４】
二重かご形状でない（普通かご形）一般的な回転子スロット形状を有する回転子を用いて、エンドリングの断面積を大きくした場合、二次抵抗が低くなることで通常運転時の効率を改善することができるが、誘導電動機の起動トルクが低くなる課題がある。【００６５】
誘導電動機の起動トルクが低くなると、同一の起動トルクを得るために高い電源電圧が必要となる。何らかの原因で電源電圧が低くなった場合、誘導電動機が起動できない場合がある。【００６６】
本実施の形態では、二重かご形の回転子スロット４０を有する回転子１１を用いている。そのため、起動トルクを確保した信頼性の高い誘導電動機１００を得ると共に、通常運転時に高効率な誘導電動機１００を得ることができる。特に単相交流電源で駆動される単相誘導電動機において、より大きな効果を奏する。単相誘導電動機は、起動トルク／停動トルク（最大トルク）が三相誘導電動機のそれに比べて小さいからである。【００６７】
単純に起動トルクをアップさせる別の方式として、単相誘導電動機の補助巻線２０ａと直列に接続される運転コンデンサの容量を大きくする方式がある。また運転コンデンサと並列に起動コンデンサとリレーを設けるなど、単相誘導電動機の外付け回路で対策を行う方式がある。しかし、いずれの方式においてもコストアップを伴う。【００６８】
本実施の形態では、二重かご形の回転子スロット４０を有する回転子１１を用いて起動トルクをアップさせるので、特段の外付け回路を使用しなくてよい。そのため、運転コンデンサなどの回路を含めた運転システムとして低コストな誘導電動機１００を得ることができる。【００６９】
次に、回転子鉄心１１ａの風穴部１１ｂの変形例を説明する。図６、図７に示す回転子鉄心１１ａの風穴部１１ｂは、長穴（略楕円）形状になっている。長穴（略楕円）形状の風穴部１１ｂを周方向に略等間隔に三個配置している。但し、風穴部１１ｂの個数は三個に限定されるものではない。風穴部１１ｂの個数、周方向の長さ、半径方向の長さは任意に選択される。【００７０】
風穴部１１ｂを長穴形状にすることで、図４の略半円形の風穴部１１ｂと比較すると、全体の風穴面積が同一の場合、長穴形状の風穴部１１ｂは、径方向の寸法を短くすることができ、その分エンドリング３２を内径側に拡大することが可能である。【００７１】
長穴形状の風穴部１１ｂは、図４の略半円形の風穴部１１ｂよりもエンドリング３２を内径側に拡大できる。そのため、更に二次抵抗を低くすることができ、更に高効率な誘導電動機１００を得ることができる。【００７２】
本実施の形態では、二次導体の材質としてアルミを使用するが、導電性材料であれば良く、更に低抵抗な材料である銅などを用いても良い。【００７３】
あるいは内層スロット４０ｂに棒状の銅材を入れた後に、ダイキャストでアルミを鋳込んでも良い。【００７４】
固定子スロット１２ｂに挿入される巻線２０(主巻線２０ｂ、補助巻線２０ａ)は、同心巻方式の巻線を示したが、重ね巻方式や波巻方式でも同様の効果を得ることができる。【００７５】
また単相交流電源で駆動される単相誘導電動機について説明したが、固定子スロット１２ｂに三相巻線を挿入し、三相交流電源で駆動される三相誘導電動機においても同様の効果を得ることができる。【００７６】
また二重かご形状として外層スロット４０ａ、内層スロット４０ｂ、連結スロット４０ｃからなる構成について説明したが、連結スロット４０ｃを設けず、外層スロット４０ａと内層スロット４０ｂを回転子鉄心１１ａで分離させた二重かご形状の回転子スロット４０を構成しても同様の効果を得ることができる。【００７７】
以上のように、本実施の形態によれば、誘導電動機１００の回転子鉄心１１ａの円形の回転軸穴３１の周囲に、回転軸穴３１に連通する略半円形の風穴部１１ｂを設けることで、エンドリング３２を内径側に拡大することが可能になり、エンドリング３２を拡大することで二次抵抗が低くなり、高効率な誘導電動機１００を得ると共に、その誘導電動機１００を密閉型圧縮機に搭載する場合、冷媒の流路を確保した高性能な密閉型圧縮機を得ることができる。【００７８】
また、誘導電動機１００の回転子鉄心１１ａの円形の回転軸穴３１の周囲に、回転軸穴３１に連通する略半円形の風穴部１１ｂを設けることで、固定子１２の固定子切欠き１２ｃを、冷媒と共に冷凍機油が固定子１２の固定子切欠き１２ｃを通って流出するような大きさにする必要がないので、冷凍機油の油上がり量を抑制した信頼性の高い密閉型圧縮機を得ると共に、低損失な誘導電動機１００を搭載した高効率な密閉型圧縮機を得ることができる。【００７９】
また、風穴部１１ｂを長穴形状にすることで、略半円形の風穴部１１ｂと比較すると、全体の風穴面積が同一の場合、長穴形状の風穴部１１ｂは、径方向の寸法を短くすることができ、その分エンドリング３２を内径側に拡大することが可能であり、更に二次抵抗を低くすることができ、更に高効率な誘導電動機１００を得ることができる。【００８０】
また、二重かご形の回転子スロット４０を有する回転子１１を用いて起動トルクをアップさせるので、特段の外付け回路を使用しなくてよいため、運転コンデンサなどの回路を含めた運転システムとして低コストな誘導電動機１００を得ることができる。【００８１】
実施の形態２．
以下、実施の形態２について図面を参照しながら説明する。図８乃至図１１は実施の形態２を示す図で、図８は誘導電動機１００の回転子１１の平面図、図９および図１０は回転軸５０の一部（回転子１１の積層方向長さに相当する部分）の斜視図、図１１は誘導電動機１００の回転子１１の平面図である。【００８２】
図８において、回転子１１の回転軸穴３１に設けられた風穴部１１ｂに対応した位置で、回転軸５０に切欠き５０ａを設けたものである。切欠き５０ａは、回転軸５０の略軸方向全長に亘って形成されている。【００８３】
回転軸５０の切欠き５０ａは、回転子１１の回転軸穴３１に設けられた風穴部１１ｂと対応して配置される。そして、回転軸５０の一つの切欠き５０ａと一つの風穴部１１ｂとで、一つの風穴を形成する。図８の例では、六個の風穴を形成する。【００８４】
誘導電動機１００を密閉型圧縮機に搭載する場合、回転子１１は回転軸５０に焼嵌固定されている。回転子１１の回転軸穴３１に風穴部１１ｂがある場合、回転軸５０と焼嵌されるのは風穴部１１ｂ以外の円弧部の箇所であり、風穴部１１ｂは焼嵌されない。【００８５】
図９に示すように風穴部１１ｂに対応した位置で、回転軸５０に切欠き５０ａを設けることで焼嵌の嵌合強度を低下させることなく、切欠き５０ａの分だけ冷媒の流路面積を増加させることができる。【００８６】
回転軸５０に切欠き５０ａを設けない図４のケースと流路面積を同じにする場合は、回転軸５０に切欠き５０ａを設けた分、風穴部１１ｂの面積を小さくすることができる。【００８７】
風穴部１１ｂの面積を小さくすることで、エンドリング３２の断面積を増加させることができ、二次抵抗が小さくなり、高効率な誘導電動機１００を得ることができる。【００８８】
また、図１０は切欠き５０ａを回転軸５０の円周方向にねじるように設けたものである。誘導電動機１００の回転子鉄心１１ａはスキューをかけて積層されることが一般的である。誘導電動機１００は、同期トルク、非同期トルク、振動・騒音等の異常現象があることが知られていて、誘導電動機１００の異常現象は、空隙磁束密度中の空間高調波によって起きるものであることは既に述べたが、空隙磁束密度中の空間高調波の中で大きい溝高調波による高調波誘起電圧が回転子１１のアルミバー３０（二次導体）に誘起しないようにするために、誘導電動機１００の回転子鉄心１１ａはスキューをかけて積層される。【００８９】
そのため風穴部１１ｂは積層方向に対して垂直方向に配置されておらず、円周方向にねじるように配置されている。【００９０】
回転子鉄心１１ａのスキュー方向に対応するように、切欠き５０ａをねじって配置することで、焼嵌の嵌合強度を悪化させることなく、冷媒流路面積を増加させることで高性能な密閉型圧縮機を得ることができる。【００９１】
図１１に示す誘導電動機１００の回転子１１は、長穴（略楕円）形状の風穴部１１ｂに対応して、回転軸５０の切欠き５０ａの形状も長穴（略楕円）形状にしたものである。【００９２】
一つの長穴（略楕円）形状の風穴部１１ｂと、一つの長穴（略楕円）形状の切欠き５０ａとで一つの風穴を形成する。図１１のケースでは、三個の風穴が周方向に略等間隔に形成されている。但し、風穴の個数は三個に限定されるものではない。風穴の個数、周方向の長さ、半径方向の長さは任意に選択される。【００９３】
風穴部１１ｂを長穴形状にすることで、図８の略半円形の風穴部１１ｂと比較すると、全体の風穴面積が同一の場合、長穴（略楕円）形状の風穴部１１ｂは、径方向の寸法を短くすることができ、その分エンドリング３２を内径側に拡大することが可能である。【００９４】
冷媒の流路である風穴面積が同じ場合、長穴（略楕円）形状の切欠き５０ａを設けると切欠き深さ（半径方向深さ）が小さくなり、回転軸５０の剛性低下を抑制することができる。そのため回転軸５０の強度が低下することなく、信頼性の高い密閉型圧縮機を得ることができる。【００９５】
以上のように、図９に示すように風穴部１１ｂに対応した位置で、回転軸５０に切欠き５０ａを設けることで焼嵌の嵌合強度を低下させることなく、切欠き５０ａの分だけ冷媒の流路面積を増加させることができる。【００９６】
また、回転軸５０に切欠き５０ａを設けない図４のケースと流路面積を同じにする場合は、回転軸５０に切欠き５０ａを設けた分、風穴部１１ｂの面積を小さくすることができ、  風穴部１１ｂの面積を小さくすることで、エンドリング３２の断面積を増加させることができ、二次抵抗が小さくなり、高効率な誘導電動機１００を得ることができる。【００９７】
また、回転子鉄心１１ａのスキュー方向に対応するように、切欠き５０ａをねじって配置することで、焼嵌の嵌合強度を悪化させることなく、冷媒流路面積を増加させることで高性能な密閉型圧縮機を得ることができる。【００９８】
また、風穴部１１ｂを長穴形状にすることで、図８の略半円形の風穴部１１ｂと比較すると、全体の風穴面積が同一の場合、長穴（略楕円）形状の風穴部１１ｂは、径方向の寸法を短くすることができ、その分エンドリング３２を内径側に拡大することが可能である。【００９９】
また、冷媒の流路である風穴面積が同じ場合、長穴（略楕円）形状の切欠き５０ａを設けると切欠き深さ（半径方向深さ）が小さくなり、回転軸５０の剛性低下を抑制することができる。そのため回転軸５０の強度が低下することなく、信頼性の高い密閉型圧縮機を得ることができる。【０１００】
実施の形態３．
以下、実施の形態３について図面を参照しながら説明する。図１２及び図１３は実施の形態３を示す図で、誘導電動機１００の回転子１１（回転軸５０は除く）の平面図である。【０１０１】
図１２において、回転子１１の外径寸法をＡ、回転子１１の内径とエンドリング３２の内径との距離をＢとした場合、回転子１１の回転軸穴３１に風穴部１１ｂを設けると共に、Ｂ＜０．１Ａとなるように、エンドリング３２の内径寸法を内周側に拡大させたものである。【０１０２】
回転子１１を密閉型圧縮機に搭載した場合、回転軸穴３１に風穴部１１ｂを設けているため、冷媒の流路が確保されているので高性能な密閉型圧縮機を得ることができる。また冷凍機油の油上がり量を抑制した信頼性の高い密閉型圧縮機を得ることができる。【０１０３】
図１３において、回転軸穴３１に三つの風穴部１１ｂ（ここでは長穴（略楕円）形状）を設けたもので、回転軸５０の中心と風穴部１１ｂの両端部（回転軸穴３１の弧との交点）を結ぶ線のなす角度をα、隣接する二つの風穴部１１ｂの近接側の二つの端部と回転軸５０の中心とのなす角度をβとした場合、α＋β≒１２０［度］、かつ２α＋β＜１８０［度］としたものである。【０１０４】
３つの風穴部１１ｂを略等間隔に設けるとα＋β≒１２０［度］となるが、βに対してαが大きくなると、回転軸５０と回転子１１を焼嵌固定しても嵌合強度が低下してしまう課題がある。【０１０５】
また、２α＋βが１８０度以上になると、回転軸穴３１の中心を通る直線が回転軸穴３１の円弧部の二点を通過しなくなる。即ち、回転軸穴３１の中心と回転軸穴３１の円弧部を通る直線は、回転軸穴３１の円弧部の反対側（１８０度）では、風穴部１１ｂを通る。そのため回転軸５０との嵌め合い寸法を管理する際に、回転子１１の回転軸穴３１の内径の測定を容易に行うことが困難になる。【０１０６】
本実施の形態では、２α＋β＜１８０［度］に設定することで回転軸穴３１の内径測定が容易になり、回転軸５０との嵌め合い寸法の管理が簡単になる誘導電動機１００の回転子１１を得ることができる。【０１０７】
実施の形態４．
以下、実施の形態４について図面を参照しながら説明する。図１４乃至図１６は実施の形態４を示す図で、図１４は回転式圧縮機３００（密閉型圧縮機の一例）の縦断面図、図１５および図１６は回転式圧縮機３００の横断面図である。【０１０８】
回転式圧縮機３００における誘導電動機１００の構造以外は公知のものである。従って、図１４を参照しながら一シリンダの回転式圧縮機３００の構成を簡単に説明する。【０１０９】
図１４に示すように、回転式圧縮機３００は密閉容器４内に、圧縮要素２００と電動要素である誘導電動機１００と図示しない冷凍機油とを収納している。冷凍機油は、密閉容器４内の底部に貯留している。冷凍機油は主に圧縮要素２００の摺動部を潤滑する。密閉容器４は、胴部１と上皿容器２と下皿容器３とから構成される。【０１１０】
圧縮要素２００は、シリンダ５、上軸受６（軸受の一例）、下軸受７（軸受の一例）、回転軸５０、ローリングピストン９、吐出マフラ８、ベーン（図示せず）等で構成される。【０１１１】
内部に圧縮室が形成されるシリンダ５は、外周が平面視略円形で、内部に平面視略円形の空間であるシリンダ室を備える。シリンダ室は、軸方向両端が開口している。シリンダ５は、側面視で所定の軸方向の高さを持つ。【０１１２】
シリンダ５の略円形の空間であるシリンダ室に連通し、半径方向に延びる平行なベーン溝（図示せず）が軸方向に貫通して設けられる。【０１１３】
また、ベーン溝の背面（外側）に、ベーン溝に連通する平面視略円形の空間である背圧室（図示せず）が設けられる。【０１１４】
シリンダ５には、冷凍サイクルからの吸入ガスが通る吸入ポート（図示せず）が、シリンダ５の外周面からシリンダ室に貫通している。【０１１５】
シリンダ５には、略円形の空間であるシリンダ室を形成する円の縁部付近（誘導電動機１００側の端面）を切り欠いた吐出ポート（図示せず）が設けられる。【０１１６】
ローリングピストン９が、シリンダ室内を偏心回転する。ローリングピストン９はリング状で、ローリングピストン９の内周が回転軸５０の偏心軸部５０ｄに摺動自在に嵌合する。【０１１７】
ベーンがシリンダ５のベーン溝内に収納され、背圧室に設けられるベーンスプリング（図示せず）でベーンが常にローリングピストン９に押し付けられている。回転式圧縮機３００は、密閉容器４内が高圧であるから、運転を開始するとベーンの背面（背圧室側）に密閉容器４内の高圧とシリンダ室の圧力との差圧による力が作用するので、ベーンスプリングは主に回転式圧縮機３００の起動時（密閉容器４内とシリンダ室の圧力に差がない状態）に、ベーンをローリングピストン９に押し付ける目的で使用される。【０１１８】
ベーンの形状は、平たい（周方向の厚さが、径方向及び軸方向の長さよりも小さい）略直方体である。【０１１９】
上軸受６は、回転軸５０の主軸部５０ｂ（偏心軸部５０ｄより上の部分）に摺動自在に嵌合するとともに、シリンダ５のシリンダ室（ベーン溝も含む）の一方の端面（誘導電動機１００側）を閉塞する。【０１２０】
上軸受６に、吐出弁（図示せず）が取り付けられる。上軸受６は、側面視略逆Ｔ字状である。【０１２１】
下軸受７が、回転軸５０の副軸部５０ｃ（偏心軸部５０ｄより下の部分）に摺動自在に嵌合するとともに、シリンダ５のシリンダ室（ベーン溝も含む）の他方の端面（冷凍機油側）を閉塞する。下軸受７は、側面視略Ｔ字状である。【０１２２】
上軸受６には、その外側（誘導電動機１００側）に吐出マフラ８が取り付けられる。上軸受６の吐出弁から吐出される高温・高圧の吐出ガスは、一端吐出マフラ８に入り、その後吐出マフラ８の吐出穴８ａから密閉容器４内に放出される。【０１２３】
密閉容器４の横に、冷凍サイクルからの低圧の冷媒ガスを吸入し、液冷媒が戻る場合に液冷媒が直接シリンダ５のシリンダ室に吸入されるのを抑制する吸入マフラ（図示せず）が設けられる。吸入マフラは、シリンダ５の吸入ポートに吸入管２２を介して接続する。吸入マフラは、溶接等により密閉容器４の側面に固定される。【０１２４】
圧縮要素２００で圧縮された高温・高圧のガス冷媒は、吐出マフラ８の吐出穴８ａから誘導電動機１００を通過して、吐出管７０から外部の冷媒回路（図示せず）へ吐出される。【０１２５】
図１５および図１６を用いて、圧縮要素２００の一部である吐出穴８ａと、誘導電動機１００の一部である回転子１１の風穴部１１ｂとの位置関係について説明する。ここでは、吐出マフラ８の吐出穴８ａの個数は三個で、回転子１１の風穴部１１ｂの個数も三個の場合について説明する。吐出マフラ８の吐出穴８ａは、回転子１１の風穴部１１ｂと同様、周方向に略等間隔に配置されている。【０１２６】
前述のように、圧縮要素２００で圧縮されたガス冷媒の一部は、吐出穴８ａから風穴部１１ｂを通過するが、ガス冷媒は高圧であるため、流速も速くなっている。本実施の形態では吐出穴８ａと風穴部１１ｂの個数と位置関係を合わせ、更に吐出穴８ａから高圧の吐出ガスが吐出されるときに吐出穴８ａと風穴部１１ｂとの位置が略一致するようにして、より効果的に風穴部１１ｂから冷媒を通過するようにしたものである。【０１２７】
誘導電動機１００の回転子１１が一回転する度に、圧縮要素２００では一回の圧縮・吐出が行われるが、吐出穴８ａと風穴部１１ｂの位置が略一致したときに、吐出穴８ａから高圧の吐出ガスが吐出されるようにする。【０１２８】
吐出穴８ａと風穴部１１ｂの個数と位置関係を合わせ、更に吐出穴８ａから高圧の吐出ガスが吐出されるときに吐出穴８ａと風穴部１１ｂとの位置が略一致するようにして、より効果的に風穴部１１ｂからガス冷媒を通過させることが可能であり、効率の高い回転式圧縮機３００を得ることができる。【０１２９】
ここでは吐出穴８ａと風穴部１１ｂの個数が同じ場合について説明したが、位相が合えば同様の効果が得られるため、それぞれの個数が整数倍の関係、例えば、吐出穴８ａが三個で、風穴部１１ｂの個数が六個であっても良い。【０１３０】
また、ガス冷媒の風穴部１１ｂへの通過量を増加させるためには、吐出穴８ａを回転軸５０の中心付近に設けることが、より望ましいが、その限りではない。
【図面の簡単な説明】
【０１３１】
【図１】実施の形態１を示す図で、誘導電動機１００の横断面図。
【図２】実施の形態１を示す図で、アルミバー３０を充填した回転子スロット４０の横断面図。
【図３】実施の形態１を示す図で、誘導電動機１００の回転子１１の斜視図。
【図４】実施の形態１を示す図で、誘導電動機１００の回転子１１の平面図。
【図５】実施の形態１を示す図で、誘導電動機１００の回転子鉄心１１ａの平面図。
【図６】実施の形態１を示す図で、変形例の誘導電動機１００の回転子１１の平面図。
【図７】実施の形態１を示す図で、変形例の誘導電動機１００の回転子鉄心１１ａの平面図。
【図８】実施の形態２を示す図で、誘導電動機１００の回転子１１の平面図。
【図９】実施の形態２を示す図で、回転軸５０の一部（回転子１１の積層方向長さに相当する部分）の斜視図。
【図１０】実施の形態２を示す図で、回転軸５０の一部（回転子１１の積層方向長さに相当する部分）の斜視図。
【図１１】実施の形態２を示す図で、誘導電動機１００の回転子１１の平面図。
【図１２】実施の形態３を示す図で、誘導電動機１００の回転子１１（回転軸５０は除く）の平面図。
【図１３】実施の形態３を示す図で、誘導電動機１００の回転子１１（回転軸５０は除く）の平面図。
【図１４】実施の形態４を示す図で、回転式圧縮機３００（密閉型圧縮機の一例）の縦断面図。
【図１５】実施の形態４を示す図で、回転式圧縮機３００の横断面図。
【図１６】実施の形態４を示す図で、回転式圧縮機３００の横断面図。
【符号の説明】
【０１３２】
１  胴部、２  上皿容器、３  下皿容器、４  密閉容器、５  シリンダ、６  上軸受、７  下軸受、８  吐出マフラ、８ａ  吐出穴、９  ローリングピストン、１１  回転子、１１ａ  回転子鉄心、１１ｂ  風穴部、１２  固定子、１２ａ  固定子鉄心、１２ｂ  固定子スロット、１２ｃ  固定子切欠き、２０  巻線、２０ａ  補助巻線、２０ｂ  主巻線、３０  アルミバー、３０ａ  外層アルミバー、３０ｂ  内層アルミバー、３０ｃ  連結アルミバー、３１  回転軸穴、３２  エンドリング、４０  回転子スロット、４０ａ  外層スロット、  ４０ｂ  内層スロット、４０ｃ  連結スロット、５０  回転軸、５０ａ  切欠き、５０ｂ  主軸部、５０ｃ  副軸部、５０ｄ  偏心軸部、６０  空隙、７０  吐出管、１００  誘導電動機、２００  圧縮要素、３００  回転式圧縮機。
【図１】
2010016106.tif 000003
【図２】
2010016106.tif 000004
【図３】
2010016106.tif 000005
【図４】
2010016106.tif 000006
【図５】
2010016106.tif 000007
【図６】
2010016106.tif 000008
【図７】
2010016106.tif 000009
【図８】
2010016106.tif 000010
【図９】
2010016106.tif 000011
【図１０】
2010016106.tif 000012
【図１１】
2010016106.tif 000013
【図１２】
2010016106.tif 000014
【図１３】
2010016106.tif 000015
【図１４】
2010016106.tif 000016
【図１５】
2010016106.tif 000017
【図１６】
2010016106.tif 000018
【国際調査報告】
2010016106.tif 000019
2010016106.tif 000020
2010016106.tif 000021
2010016106.tif 000022